(57)【特許請求の範囲】
【請求項１】
複数本のケーブル芯線を平行状態に並設して、その外周を絶縁被覆層で一体に被覆することにより平面状に構成したジャンパーケーブルにおいて、複数本のケーブル芯線の各ケーブル芯線間において、絶縁被覆層に、ケーブル芯線の長さ方向に沿うような縦長方向に複数列のスリットを設け、ジャンパーケーブルの裏面の全面に、テープを剥離可能に貼着したことを特徴とするジャンパーケーブル。
【発明の詳細な説明】
【０００１】
【発明の属する技術分野】
本発明は、電子機器に用いる電子回路を構成するプリント基板間を、相互に接続するための平面状のジャンパーケーブルに関する。
【０００２】
【従来の技術】
図５は従来この種の平面状のジャンパーケーブルＫの正面図であり、図６は図５のＡ−Ａ′線における拡大断面図である。ジャンパーケーブルＫは、複数本のケーブル芯線１，１，１…を平行状態に並設して、その外周を絶縁被覆層２で一体に被覆することにより平面状に構成されている。
【０００３】
ところで上記した構成の従来のジャンパーケーブルＫは、ケーブル芯線１を１本づつ配線する単線のケーブルに比べて複数本のケーブル芯線１，１，１…をまとめて配線できるので、誤結線することがなく配線効率を向上できるという長所がある。図７（ａ）は従来のジャンパーケーブルＫのケーブル芯線１，１，１…の両端の露出部１′，１′，１′…を、それぞれプリント基板３，３に接続した状態を示す正面図であり、図７（ｂ）（ｃ）（ｄ）は、それぞれ同上の側面図である。
【０００４】
【発明が解決しようとする課題】
このような従来のジャンパーケーブルＫにおいて、図中ｙ方向〔図７（ｃ）参照〕の力によりプリント基板３に加わるズレに対しては、それぞれ図７（ｂ）（ｃ）（ｄ）に示すように曲がりやすく屈曲自由度があり、可撓性があるが〔図７（ｃ）（ｄ）参照〕、図中
ｘ方向〔図７（ａ）参照〕の力によりプリント基板３に加わるズレに対しては屈曲自由度が小さく、配線するためにはジャンパーケーブルＫを無理に折り曲げなけれぱならない。図８（ａ）（ｂ）はそれぞれジャンパーケーブルＫを無理に折り曲げた状態を示す正面図、外観斜視側面図である。
【０００５】
この場合は、ジャンパーケーブルＫを無理に折り曲げた折曲部分Ｋ′〔図７（ａ）（ｂ）参照〕において断線するおそれがあり、またこの場合は、ジャンパーケーブルＫのケーブル芯線１，１，１…の両端の露出部１′，１′，１′…とプリント基板３，３との接続部に、折曲力による応力がかかることになる。この接続部がもし半田付けの場合、曲げが戻ろうとする力が応力として半田付け部分にかかることになり、ジャンパーケーブルＫの熱ストレスに対する信頼性が低くなる。また折曲部分Ｋ′には、余分な厚みｍ〔図８（ｂ）参照〕が加わることになり、そのために、ジャンパーケーブルＫを使用している電子機器本体内の部品スペースが小さくなるという問題がある。
【０００６】
本発明に係るジャンパーケーブルは上記した従来の問題点にかんがみ、複数本のケーブル芯線の並設方向における屈曲自由度を大きくするとともに、プリント基板相互間の接続を容易にすることを目的としている。
【０００７】
【課題を解決するための手段】
本発明に係るジャンパーケーブルＬの請求項１は、複数本のケーブル芯線１，１，１…を平行状態に並設して、その外周を絶縁被覆層２で一体に被覆することにより平面状に構成したジャンパーケーブルＬにおいて、複数本のケーブル芯線１，１，１…の各ケーブル芯線１，１間において、絶縁被覆層２に、ケーブル芯線１の長さ方向に沿うような縦長方向に複数列のスリット４，４，４…を設け、ジャンパーケーブルＬの裏面の全面に、テープ５を剥離可能に貼着したことを特徴とするものである。
【０００８】
次に本発明に係るジャンパーケーブルＬの作用について述べる。請求項１は、プリント基板３，３を実装したのち、裏面に貼着された出所表示または品質表示の機能をもつ商標Ｓを表示したテープ５を剥がすことにより可撓性のある配線ができる。またテープ５を剥がしたとき絶縁被覆層２の表面に沿う方向の力によりプリント基板３に加わるズレに対しては、曲がりやすく、屈曲自由度があり可撓性があるが、前記した方向と直交する方向の力によりプリント基板３に加わるズレに対しては、スリット４，４，４…を設けることで、複数本のケーブル芯線１，１，１…がお互いにそれぞれ独立して自由に動くことになり屈曲自由度が大きくなる。
【０００９】
【発明の実施の形態】
以下、図面を参照しながら本発明の実施の形態を説明する。図１は本発明に係るジャンパーケーブルＬの一実施の形態を示す正面図であり、図３は図１のＤ−Ｄ′線における拡大断面図である。図１および図３において、従来例を示す図５に対応する箇所には図５と同一の符号を付して説明する。
【００１０】
複数本のケーブル芯線１，１，１…を平行状態に並設して、その外周を絶縁被覆層２で一体に被覆することにより平面状のジャンパーケーブルＬを構成するのであるが、複数本のケーブル芯線１，１，１…の各ケーブル芯線１，１間において、絶縁被覆層２にケーブル芯線１，１，１…の長さ方向に沿うような縦長方向に複数列のスリット４，４，４…を設けるものである。
【００１１】
図２は図１の裏面図であるが、裏面にはテープ５を貼着してそのテープ５に、たとえば商標Ｓなどを表示するものである。図４（ａ）はジャンパーケーブルＬのケーブル芯線１，１，１…の両端の露出部１′，１′，１′…に、それぞれプリント基板３，３を接続し
た状態を示す正面図であるが、裏面のテープ５を剥がしてプリント基板３，３を、図４（ａ）の状態から所定位置へずらした状態の正面図を図４（ｂ）に示している。この例では、プリント基板３，３を実装したのち、裏面に貼着されている商標Ｓを表示したテープ５を剥がすことで可撓性のある配線ができる。
【００１２】
またテープ５を剥がした状態では図中ｘ方向〔図４（ａ）参照〕の力によりプリント基板３に加わるズレに対しては、スリット４，４，４…のために複数本のケーブル芯線１，１，１…がそれぞれ独立して自由に動くことになり屈曲自由度が大きくなる。
【００１３】
【発明の効果】
本発明に係るジャンパーケーブルは以下のような効果を奏することができる。つまり、裏面に貼着されているテープに商標を表示して、ジャンパーケーブルの出所表示または品質表示の機能を果たすことができ、またテープを剥がして使用すると可撓性のある配線ができる利点がある。またテープを剥がしたときにはケーブル芯線の長さ方向に沿うような縦長方向に複数列のスリットを設けることにより、複数本のケーブル芯線は、お互いにそれぞれ独立して自由に動くことになり屈曲自由度が大きくなる利点がある。
【図面の簡単な説明】
【図１】本発明に係るジャンパーケーブルの、一つの実施の形態を示す正面図である。
【図２】同上のジャンパーケーブルの裏面図である。
【図３】図１のＤ−Ｄ′線における拡大断面図である。
【図４】同上のジャンパーケーブルの使用要領を示すもので、（ａ）はケーブル芯線の両端の露出部に、それぞれプリント基板を接続した状態を示す正面図であり、（ｂ）はプリント基板を、前記（ａ）の状態から所定位置へずらした状態の正面図である。
【図５】従来の平面状のジャンパーケーブルの正面図である。
【図６】同上のＡ−Ａ′線における拡大断面図である。
【図７】（ａ）は従来のジャンパーケーブルのケーブル芯線の両端の露出部を、それぞれプリント基板に接続した状態を示す正面図であり、（ｂ）（ｃ）（ｄ）は、それぞれ同上の側面図である。
【図８】（ａ）はジャンパーケーブルを無理に折り曲げた状態を示す正面図であり、（ｂ）は同上の外観斜視側面図である。
【符号の説明】
１ケーブル芯線
２絶縁被覆層
４スリット
Ｋジャンパーケーブル
【図１】
0003684677.tif 000002
【図２】
0003684677.tif 000003
【図３】
0003684677.tif 000004
【図４】
0003684677.tif 000005
【図５】
0003684677.tif 000006
【図６】
0003684677.tif 000007
【図７】
0003684677.tif 000008
【図８】
0003684677.tif 000009